(57)【要約】    【課題】  仮の人工歯冠をインプラントに冠着しておく必要がなく、人工歯冠の高さ調整を可能とした人工歯構造を提供する。    【解決手段】  歯茎１内の歯槽骨に埋入されたインプラント本体の上端には、アバットメント２を装着してある。アバットメント２に雄ねじ部３を形成する一方、人工歯冠４に埋設された筒状部材５に雌ねじ部６を形成してある。アバットメント２の雄ねじ部３に筒状部材５の雌ねじ部６をねじ込むことで、人工歯冠４をアバットメント２に高さ調節自在に取り付けてある。【選択図】  図１
2007044283.tif 000002
【特許請求の範囲】
【請求項１】
歯槽骨に埋入されたインプラント本体と、該インプラント本体に冠着された人工歯冠と、の間に高さ調節手段を介装したことを特徴とする人工歯構造。
【請求項２】
前記高さ調節手段は、インプラント本体に連結されたアバットメントに前記人工歯冠を螺着する構成であることを特徴とする請求項１に記載の人工歯構造。
【請求項３】
前記高さ調節手段は、インプラント本体に対してアバットメントを昇降自在に装着する構成であることを特徴とする請求項１に記載の人工歯構造。
【請求項４】
前記人工歯構造は、前記人工歯冠と歯茎の隙間を塞ぐ閉塞部材を有することを特徴とする請求項１から３のいずれか記載の人工歯構造。
【発明の詳細な説明】
【技術分野】
【０００１】
本発明は、インプラントに人工歯冠を冠着してなる人工歯構造に関し、特に、インプラントの高さを自在に調節可能なものに関する。
【背景技術】
【０００２】
欠損した歯の修復法として、インプラントを用いた治療が行われている。これは、歯槽骨にインプラント本体を埋入し、インプラント本体にアバットメントを介して人工歯冠を冠着するものである（特許文献１参照）。
【０００３】
ここで、従来からのインプラント治療においては、予め、インプラントに仮の人工歯冠を少し低めに冠着しておき、これを２，３ヶ月経過後に正規の高さの人工歯冠と取り換えている。仮の人工歯冠を冠着しておくのは、インプラント本体を歯槽骨になじませるのに２，３ヶ月の期間を要し、その間にインプラント本体に無理な力が作用するのを防止するためである。なお、歯科医師によっては、インプラントに最初から正規の人工歯冠を冠着しておく人もいるが、この場合であっても、高さを少し低めに冠着しておくのが通常である。
【０００４】
【特許文献１】特開２００３−３１１３６７号公報
【発明の開示】
【発明が解決しようとする課題】
【０００５】
しかしながら、インプラントに仮の人工歯冠を冠着しておき、２，３ヶ月経過後に正規の人工歯冠と取り換えている従来のインプラント治療では、インプラントに人工歯冠を冠着する都度手術を行わなければならず、多大の手間を要していた。
【０００６】
特に、従来のインプラント治療では、インプラントの高さを自在に調節することができないことから、適切なサイズの正規の人工歯冠を冠着する前に、仮の人工歯冠を冠着する必要があった。また、最初から正規の人工歯冠を冠着しておいた場合であっても、数ミリの高さを自在に調節できないことから不具合が生じていたので、新たに作り直していた。
【０００７】
本発明は、このような事情に鑑み、仮の人工歯冠をインプラントに冠着しておく必要がなく、人工歯冠の高さ調節が可能な人工歯構造を提供することを目的とする。
【課題を解決するための手段】
【０００８】
以上の課題を解決するため、本発明は、以下のものを提供する。
【０００９】
（１）  歯槽骨に埋入されたインプラント本体と、該インプラント本体に冠着された人工歯冠と、の間に高さ調節手段を介装したことを特徴とする人工歯構造。
【００１０】
本発明によれば、インプラント本体と人工歯冠との間に高さ調節手段を介装したことで、人工歯冠の高さ調節が可能となるので、仮の人工歯冠をインプラントに冠着しておく必要がなく、一度の手術によって、インプラント治療を行うことができる。
【００１１】
（２）  前記高さ調節手段は、インプラント本体に連結されたアバットメントに前記人工歯冠を螺着する構成であることを特徴とする人工歯構造。
【００１２】
本発明によれば、人工歯冠を螺着することで人工歯冠の高さ調節が可能となるので、仮の人工歯冠をインプラントに冠着しておく必要がなく、一度の手術によって、インプラント治療を行うことができる。
【００１３】
（３）  前記高さ調節手段は、インプラント本体に対してアバットメントを昇降自在に装着する構成であることを特徴とする（１）に記載の人工歯構造。
【００１４】
本発明によれば、インプラント本体に対してアバットメントを昇降自在に装着することで人工歯冠を昇降自在にでき、仮の人工歯冠をインプラントに冠着しておく必要がなく、一度の手術によって、インプラント治療を行うことができる。
【００１５】
（４）  前記人工歯構造は、前記人工歯冠と歯茎の隙間を塞ぐ閉塞部材を有することを特徴とする（１）から（３）のいずれか記載の人工歯構造。
【００１６】
本発明によれば、人工歯冠の高さ調節によってできた、人工歯冠と歯茎の隙間を閉塞部材によって塞ぐことができるので、異物の侵入を防ぐことができる。
【発明の効果】
【００１７】
本発明によれば、インプラント本体が歯槽骨になじむまでの間は、人工歯冠の高さを少し低めに調整しておき、その後、人工歯冠を正規の高さに調整すればよいので、仮の人工歯冠を冠着しておく必要がなくなり、手術の回数が少なくて済む。
【発明を実施するための最良の形態】
【００１８】
以下、図面を参照して本発明の実施の形態を詳述する。
【００１９】
図１は、本発明の実施の形態に係る人工歯構造１０を示す図である。
【００２０】
本発明の実施の形態に係る人工歯構造１０は、歯茎１内の歯槽骨（図示せず）に、インプラント本体（図示せず）が埋入されている。このインプラント本体の上端には、アバットメント２が装着されている。アバットメント２には、人工歯冠４が高さ調節手段を介して装着されている。歯槽骨は、解剖歯槽の壁を構成する骨をいい、上顎骨では歯槽突起、下顎骨では歯槽部を構成していて、インプラント本体は、歯槽骨に埋入され実際に骨に接触する部分で、人工歯冠４を支持するアバットメント２と連結している。
【００２１】
歯槽骨には、インプラント本体の形状に合わせた埋入窩を形成させて、確実な初期固定を得られるように、インプラント本体を埋入し、アバットメント２と連結する。アバットメント２には、雄ねじ部３を形成させる一方、人工歯冠４に埋設された筒状部材５に雌ねじ部６を形成する。そして、アバットメント２の雄ねじ部３に筒状部材５の雌ねじ部６をねじ込むことで、人工歯冠４をアバットメント２に取り付ける。ここで、雄ねじ部３や雌ねじ部６に食べカス等の異物が侵入するのを防ぐため、両端が人工歯冠４とアバットメント２に連結された閉塞部材８が取り付けられている。
【００２２】
このような構造によれば、インプラント本体が歯槽骨になじむまでの間は、人工歯冠４の高さを少し低めに調整しておき、その後、人工歯冠４を正規の高さに調整すればよい。このため、仮の人工歯冠をインプラントに冠着しておく必要がなくなり、人工歯冠４に掛かる負担を軽減することができ、歯槽骨の状態と噛み合わせの状態をチェックでき、手術の回数が少なくて済む。なお、インプラント本体を歯槽骨になじませるため、人工歯冠４の高さを低めに調整した場合、アバットメント２の上端と筒状部材５の上壁との間に生じる隙間δの大きさは、１〜２ｍｍにするのが好ましい。
【００２３】
なお、アバットメント２に雄ねじ部３を形成する一方、人工歯冠４に埋設された筒状部材５に雌ねじ部６を形成する構成に替えて、アバットメント２に雌ねじ部を形成する一方、人工歯冠４に埋設された筒状部材５に雄ねじ部を形成してもよい。
【００２４】
以上の実施形態では、人工歯冠４をアバットメント２にねじ込んで人工歯冠４の高さを調整しているが、インプラント本体とアバットメント２の間に、人工歯冠４を昇降させる手段を設けてもよい。
【００２５】
すなわち、図２に示すように、人工歯冠４を昇降させる昇降手段７として、例えば、ねじや歯車等で昇降するジャッキを採用する。これによれば、昇降手段７を回転させることで、人工歯冠４を昇降させることができる。ここで、人工歯冠４の昇降位置を変化させる昇降手段７は、アバットメント２の側面部にねじ孔の形状をしていてもよく、スパナ掛けの凹形状をしていてもよく、ボタン機構でもよく、その種類の如何を問うものではない。また、昇降手段７の位置は、アバットメント２又はインプラントのいずれかの部分に位置していればよく、口腔内の内側を向いていてもよく、外側を向くように位置していてもよく、その向きや位置の如何を問うものでもない。
【００２６】
閉塞部材８は、上述のとおり、人工歯冠４とアバットメント２の隙間から異物が侵入するのを防いでいる。
【００２７】
また、例えば弾性体などの閉塞部材８は、人工歯冠４と相対的な関係において伸縮機能を発揮することができる。すなわち、インプラント本体が歯槽骨になじむまでは、閉塞部材８を縮めておいて、人工歯冠４は他の歯よりやや低くなるように調整しておき（図３（ａ）参照）、その後、人工歯冠４を正規の高さに上げるときに、閉塞部材８を延ばして、人工歯冠４とアバットメント２の隙間を塞ぐ（図３（ｂ）参照）。
【産業上の利用可能性】
【００２８】
本発明に係る人工歯構造は、インプラントに人工歯冠を冠着する都度手術を行わずに、人工歯冠の高さが調節を可能にすることによって、患者の負担を軽減しかつ簡易に治療を提供するものとして有用である。
【図面の簡単な説明】
【００２９】
【図１】本発明の実施の形態に係る人工歯構造を示す図である。
【図２】本発明の他の実施の形態に係る人工歯構造を示す図である。
【図３】本発明の実施の形態に係る人工歯構造における閉塞部材８を説明するための説明図である。
【符号の説明】
【００３０】
１      歯茎
２      アバットメント
３      雄ねじ部
４      人工歯冠
５      筒状部材
６      雌ねじ部
７      昇降手段
８      閉塞部材
【図１】
2007044283.tif 000003
【図２】
2007044283.tif 000004
【図３】
2007044283.tif 000005